(57)【要約】      （修正有）【課題】今までの給排水装置はキャップをはずすとイケスの中へ落ち寒い時でも手をつっこんでキャップをしめていた。又、ネジが内側に切ってあるのでネジ部分に牡蠣、フジツボなどが繁殖しやすく海水の出入りの調整などの欠点があった。【解決手段】ハンドルをキャップの上部の溝はめ廻すと給水装置ニを通って海水がイケスの中に入る、その時キャップのネジＢは給水装置のネジＢにあたりストッパーになりキャップはイケスの中へ落ちることなく給排水が簡単に調整できる。【選択図】図４
0003121796.tif 000002
【実用新案登録請求の範囲】
【請求項１】
船が前進する時、ハンドル（図１）と、キャップ（図２）と、給排水装置（図３・９）を備えたことを特徴とする、船、漁船、プレジャーボートにおける給排水装置。
【考案の詳細な説明】
【技術分野】魚を釣って移動する時イケスにおいて魚を生かすためハンドル（図１）のをキャップ（図２）の溝にはめ廻して開けると海水が▲イ▼にあたり上へ行き▲ニ▼を通り▲ホ▼の矢印に行きイケスの中へ入る、キャップ（図２）を廻していくとネジＢが給水装置（図３）のネジＡにあたりストッパーとなりキャップ（２図）がイケスの中へ落ちることはない。又、キャップ（図２）を外したい時はネジＢを外すと完全にキャップ（図２）は外ずれる。イケスの中の海水を排水したい時はのハンドル（図１）をキャップ（図２）の上部の溝にはめ廻し開けると海水が▲ロ▼にあたり▲ハ▼のところに空間ができて▲ヘ▼の矢印のように海水が▲ニ▼を通って外へ出る、その後ハンドル（２図）の上部の溝にはめキャップ（図２）を閉めればＣ、Ｄのゴムパッキンにあたり完全密封される。給排水の海水の調整はハンドル（図１）で手を濡らすことなく簡単に調節できる。給水装置と排水装置は同じ物で１８０度回転したものである。
【背景技術】
【０００２】船が前進する時海水が（図３）の▲イ▼の所へあたり海水が上へ行き▲ニ▼のくり抜いた部分よりイケスの中へ海水か入る。  又、排水は（図９）の▲ロ▼の所へ海水があたり▲ハ▼の部分が空間ができイケスより海水が下へ行き外へ出る。
【考案の開示】
【考案が解決しようとする課題】
【０００３】従来の物は下側のパイプを斜めに切った部分は同じである、上部のネジの部分は内側にネジが切ってあるので牡蠣、フジツボなどが付着しやすかった。海水の出、入の調整の難しさキャップを廻し開けるとキャップがはずれイケスの中に落ち寒い時でも手を突っ込んでキャップを締めなければならないなどの欠点があった。
【課題を解決するための手段】
【０００４】船が前進する時、ハンドル（図１）と、キャップ（図２）と、給排水装置（図３・９）を備えたことを特徴とする、船、漁船、プレジャーボートにおける給排水装置。給水装置、排水装置は同じ物で１８０°回転したものである。
【考案の効果】
【０００５】上部下部のゴムパッキンＣ・Ｄがあるため海水は入らない。（ネジ部分に牡蠣・フジツボなどが付着するとネジが廻りにくくなるのを防ぐためである）。又、冬場冷たい時などハンドル（図１）ひとつで手を濡らすことなく簡単に開閉、調整ができる。
【考案を実施するための最良の形態】
【０００６】従来の問題点を解決するために、なされた物であり上記目的を達成するためにくり抜いた穴▲ニ▼を開けネジは外側にあり、最大の位置までキャップを開けてもキャップは落ちないしそれ以上廻らないようにしたものである。
【実施例】
【０００７】魚を釣って移動する時  イケスにおいて魚を生かすためハンドル（図１）を使い１ａをキャップ（図２）の２ａの溝にはめ廻して開けると海水が▲イ▼にあたり▲ニ▼を通り▲ホ▼の矢印に行き、イケスに入る雌ネジＦは雄ネジＧにスライドし、キャップ（図２）のネジＢは給排水装置のネジＡにあたりストッパーになる。そのため、今までみたいにキャップは外れることなく冬場の海水が冷たい時でもハンドル（図１）だけで簡単に調整できる。（図７）のフィルターの▲ト▼の部分にゴミ等が入った場合ネジＢはチョウネジなので手で簡単にキャップ（図２）を外し取り除くことが出来る。又、キャップ（図２）を閉めるとゴムパッキン（Ｃ、Ｄ）にあたり、完全密封される。ネジＡ・Ｂがあたった時にネジ山が潰れるため、ネジＡの先に硬質ゴム又は、プラスチックで保護している。取付穴４は船底に取付ける穴である。
【産業上の利用可能性】
【０００８】
【図面の簡単な説明】
【０００９】
【００１０】
【図１】  ハンドルの斜視図。
【図２】  給排水装置へはまるキャップである。
【図３】  給排水装置の給水の状態を示す図。
【図４】  給排水装置の断面図でキャップ開の状態。
【図５】  給排水装置の断面図でキャップ閉の状態。
【図６】  図４のＨＨ断面拡大図。
【図７】  給排水装置の上面図。
【図８】  給排水装置の斜視図。
【図９】  排水の状態を示す図。
【図１０】  給排水装置の設置図の平面図。
【図１１】  船の側面より見た断面図。
【符号の説明】
【００１１】１  ハンドル
２  キャップ
３  給水装置
４  取付け穴
Ａ  ネジ
Ｂ  チョウネジ
Ｃ  ゴムパッキン
Ｄ  ゴムパッキン
Ｅ  硬質ゴム又は、プラスティック
Ｆ  角雌ネジ
Ｇ  角雄ネジ
Ｊ  船低と給排水器を取付けるゴムパッキン
▲イ▼  海水があたる所。
▲ロ▼  海水があたる所。
▲ハ▼  海水が▲ロ▼にあたり▲ハ▼のところに空間ができる。
▲ニ▼  ここはくり抜いてあり海水が出入する所
▲ホ▼  海水がイケスの中へ入る方向。
▲ヘ▼  海水がイケスの中から出る方向。
▲ト▼  ゴミなどが入るのを防ぐためのフランジと同じ高さを有したフィルター。
【図１】
0003121796.tif 000003
【図２】
0003121796.tif 000004
【図３】
0003121796.tif 000005
【図４】
0003121796.tif 000006
【図５】
0003121796.tif 000007
【図６】
0003121796.tif 000008
【図７】
0003121796.tif 000009
【図８】
0003121796.tif 000010
【図９】
0003121796.tif 000011
【図１０】
0003121796.tif 000012
【図１１】
0003121796.tif 000013
【手続補正書】
【提出日】平成18年2月13日(2006.2.13)
【手続補正１】
【補正対象書類名】実用新案登録請求の範囲
【補正対象項目名】全文
【補正方法】変更
【補正の内容】
【実用新案登録請求の範囲】
【請求項１】
給排水装置本体に複数の穴をくりぬき、給排水装置本体の下側に海水ストッパー板を備えたことを特徴とする給排水装置。
【手続補正２】
【補正対象書類名】明細書
【補正対象項目名】全文
【補正方法】変更
【補正の内容】
【考案の詳細な説明】
【技術分野】
【０００１】本考案は小型船舶におけるイケスの給排水装置に関するものである。
【背景技術】
【０００２】従来の物は給排水装置の本体に設けてあるネジの部分は内側にネジが切ってあるので、かき、フジツボなどが付着しやすかった。海水の出入の調整の難しさキャップを廻し開けるとキヤップがはずれイケスの中に落ち寒い時でも手を突っ込んでキャップを締めなければならないなどの欠点があった。
【考案の開示】
【考案が解決しようとする課題】
【０００３】ハンドルをはめキヤップを廻し開けると海水が入りストッパーネジがあるので適当位置でとまりキヤップは落ちることなく寒い時でも手を濡らすことなく前述の欠点を解決しようとするものである。
【課題を解決するための手段】
【０００４】本考案は給水装置のまわりに複数の穴をくりぬきキヤップを廻すとその穴から海水が入る。キヤップを廻すと給水装置のネジとキヤップのチョウネジがぶつかりストッパーになる。又、ネジは給水装置本体の外側に切ってあるので舟が停泊中、かき、フジツボが付くことなく問題点を解決しようとするものである。給水装置と排水装置は同じもので１８０度回転したものである。
【考案の効果】
【０００５】上述の様に、本考案は給水装置本体によって穴をくりぬいたことによって水量調整が簡単にでき、キヤップが落ちることなく、だれでもできる。又、キヤップをはずしたい時はキヤップのチヨウネジをはずせば簡単にはずせる。
【考案の実施するための最良の形態】
【０００６】従来の問題点を解決するために、なされた物であり上記目的を達成するためにくりぬいた穴▲ニ▼を開けネジは外側にあり、最大の位置までキャップを開けてもキヤップは落ちないしそれ以上廻らないようにしたものである。
【実施例】
【０００７】以下、添付図面に従って実施例を説明する。魚を釣って移動する時、イケスにおいて魚を生かすためハンドル（図１）を使い１ａをキャップ（図２）の２ａの溝にはめ廻して開けると海水が▲イ▼にあたり▲ニ▼を通り▲ホ▼の矢印に行き、イケスに入る雌ネジＦは雄ネジＧにスライドし、キャップ（図２）のネジＢは給排水装置本体のネジＡにあたりストッパーになる。そのため、今までみたいにキャップは外れることなく冬場の海水が冷たい時でもハンドル（図１）だけで簡単に調整できる。（図７）のフィルターの▲ト▼の部分にゴミ等が入った場合ネジＢはチョウネジなので手で簡単にキャップ（図２）を外し取り除くことが出来る。又、キャップ（図２）を閉めるとゴムパッキン（Ｃ、Ｄ）にあたり、完全密封される。取付穴４は船底に取付ける穴である。【０００８】給水装置本体と排水装置本体は同じもので１８０度回転しているものである。舟が走行中、給排水装置の両方のキャップを開ければ給排水が同時にでき水量調整が簡単にできる。
【産業上の利用可能性】
【０００９】
【図面の簡単な説明】
【００１０】
【図１】  ハンドルの斜視図。
【図２】  給排水装置へはまるキャップである。
【図３】  給水装置の給水の状態を示す図。
【図４】  給排水装置の断面図でキャップ開の状態。
【図５】  給排水装置の断面図でキャップ閉の状態。
【図６】  図４のＨＨ断面拡大図。
【図７】  給排水装置の上面図。
【図８】  給排水装置の斜視図。
【図９】  排水装置の排水の状態を示す図。
【図１０】  給排水装置の設置図の平面図。
【図１１】  船の側面より見た断面図。
【符号の説明】
【００１１】    １  ハンドル
２  キャップ
３  給排水装置本体
４  取付け穴
Ａ  ネジ
Ｂ  チョウネジ
Ｃ  ゴムパッキン
Ｄ  ゴムパッキン
Ｆ  角雌ネジ
Ｇ  角雄ネジ
Ｊ  船低と給排水器を取付けるゴムパッキン
▲イ▼  海水ストッパー板
▲ニ▼  穴
▲ホ▼  海水がイケスの中へ入る方向。
▲ヘ▼  海水がイケスの中から出る方向。
▲ト▼  フィルター
▲チ▼  イケス
【手続補正３】
【補正対象書類名】図面
【補正対象項目名】全図
【補正方法】変更
【補正の内容】
【図１】
0003121796.tif 000014
【図２】
0003121796.tif 000015
【図３】
0003121796.tif 000016
【図４】
0003121796.tif 000017
【図５】
0003121796.tif 000018
【図６】
0003121796.tif 000019
【図７】
0003121796.tif 000020
【図８】
0003121796.tif 000021
【図９】
0003121796.tif 000022
【図１０】
0003121796.tif 000023
【図１１】
0003121796.tif 000024